(57)【要約】【課題】同一内容である紙媒体の文書と電子媒体の文書を対応付けて認証を行い、相互に原本性の保証を行うことができる認証システムを提供する。【解決手段】認証システムにおいて、ユーザは、まず、所定の印刷物に記入を行う。認証システムは、ユーザが記入した情報をデータとして受信し、受信した記入情報に基づいて電子文書を作成する。さらに、認証システムは、作成した電子文書を特定するコードを作成する。そして、認証システムは、当該コード及び作成した電子文書を一意に識別する識別情報を、認証情報として印刷物に添付又は貼付する。その後、例えば所定の運用をした後、認証システムは、印刷物に添付又は貼付された認証情報に基づいて、印刷物又は電子文書に改竄があるか否かを検知することができる。【選択図】　　　図５
2004054594.tif 000002
【特許請求の範囲】
【請求項１】
印刷物上に記入した記入情報をデータとして受信する記入情報受信手段と、
前記記入情報に基づいて電子文書を作成する電子文書作成手段と、
前記電子文書に基づいて、前記電子文書を特定するコードを作成するコード作成手段と、
前記電子文書の識別情報及び前記コードを認証情報として、前記印刷物に添付又は貼付する認証情報貼付手段と、
前記認証情報に基づいて、前記印刷物又は前記電子文書の改竄を検知する改竄検知手段と、を備えることを特徴とする認証システム。
【請求項２】
印刷物上に記入した記入情報をデータとして受信する記入情報受信手段と、
前記記入情報に基づいて電子文書を作成する電子文書作成手段と、
記入済の前記印刷物をデータとしてスキャナで読み取る読取手段と、
前記読み取ったデータを受信する読取データ受信手段と、
前記読取データと前記電子文書を比較する比較手段と、
前記比較の結果が一致した場合に、前記電子文書に基づいて、前記電子文書を特定するコードを作成するコード作成手段と、
前記電子文書の識別情報及び前記コードを認証情報として、前記印刷物に添付又は貼付する認証情報貼付手段と、
前記認証情報に基づいて、前記印刷物又は前記電子文書の改竄を検知する改竄検知手段と、を備えることを特徴とする認証システム。
【請求項３】
光学的に読取可能に設けられたドットパターンが印刷されている印刷物上において、
前記記入情報受信手段は、インクペンユニット及び光学的に前記ドットパターンを読み取る読取ユニットを備える電子ペンが、前記印刷物上に記入した記入情報を受信することを特徴とする請求項１又は２に記載の認証システム。
【請求項４】
所定の運用後に、前記印刷物に添付又は貼付された前記認証情報から前記コードを取得するコード取得手段と、
前記認証情報から前記識別情報を取得する識別情報取得手段と、
前記識別情報に該当する電子文書を取得する電子文書取得手段と、
前記電子文書に基づいて、前記電子文書を特定する第２コードを作成する第２コード作成手段と、
前記コードと前記第２コードを比較する第２コード比較手段と、をさらに備え、
前記改竄検知手段は、前記比較の結果が一致すれば電子文書は改竄されていないと判断し、前記比較の結果が一致しなければ電子文書は改竄されていると判断することを特徴とする請求項１乃至３のいずれか一項に記載の認証システム。
【請求項５】
前記改竄検知手段は、前記コード比較の結果が一致すれば印刷物は改竄されていないと判断し、前記コード比較の結果が一致しなければ印刷物は改竄されていると判断することを特徴とする請求項４に記載の認証システム。
【請求項６】
所定の運用後に、前記印刷物に添付又は貼付された前記認証情報から前記コードを取得するコード取得手段と、
所定の運用後に、前記印刷物をデータとしてスキャナで読み取る第２読取手段と、
前記読み取ったデータを受信する第２読取データ受信手段と、
受信した第２読取データに基づいてコードを作成する第２コード作成手段と、
前記コードと前記第２コードを比較する第２コード比較手段と、をさらに備え、
前記改竄検知手段は、前記比較の結果が一致すれば前記印刷物は改竄されていないと判断し、前記比較の結果が一致しなければ前記印刷物は改竄されていると判断することを特徴とする請求項１乃至３のいずれか一項に記載の認証システム。
【請求項７】
印刷物上に記入した記入情報をデータとして受信する工程と、
前記記入情報に基づいて電子文書を作成する工程と、
前記電子文書に基づいて、前記電子文書を特定するコードを作成する工程と、
前記電子文書の識別情報及び前記コードを認証情報として、前記印刷物に添付又は貼付する工程と、
前記認証情報に基づいて、前記印刷物又は前記電子文書の改竄を検知する工程と、を有することを特徴とする認証方法。
【請求項８】
印刷物上に記入した記入情報をデータとして受信する工程と、
前記記入情報に基づいて電子文書を作成する工程と、
記入済の前記印刷物をデータとしてスキャナで読み取る工程と、
前記読み取ったデータを受信する工程と、
前記読取データと前記電子文書を比較する工程と、
前記比較の結果が一致した場合に、前記電子文書に基づいて、前記電子文書を特定するコードを作成する工程と、
前記電子文書の識別情報及び前記コードを認証情報として、前記印刷物に添付又は貼付する工程と、
前記認証情報に基づいて、前記印刷物又は前記電子文書の改竄を検知する工程と、を有することを特徴とする認証方法。
【請求項９】
印刷物上に記入した記入情報をデータとして受信する記入情報受信手段、
前記記入情報に基づいて電子文書を作成する電子文書作成手段、
前記電子文書に基づいて、前記電子文書を特定するコードを作成するコード作成手段、
前記電子文書の識別情報及び前記コードを認証情報として、前記印刷物に添付又は貼付する認証情報貼付手段、
前記認証情報に基づいて、前記印刷物又は前記電子文書の改竄を検知する改竄検知手段、としてコンピュータを機能させることを特徴とする認証プログラム。
【請求項１０】
印刷物上に記入した記入情報をデータとして受信する記入情報受信手段、
前記記入情報に基づいて電子文書を作成する電子文書作成手段、
記入済の前記印刷物をデータとしてスキャナで読み取る読取手段、
前記読み取ったデータを受信する読取データ受信手段、
前記読取データと前記電子文書を比較する比較手段、
前記比較の結果が一致した場合に、前記電子文書に基づいて、前記電子文書を特定するコードを作成するコード作成手段、
前記電子文書の識別情報及び前記コードを認証情報として、前記印刷物に添付又は貼付する認証情報貼付手段、
前記認証情報に基づいて、前記印刷物又は前記電子文書の改竄を検知する改竄検知手段、としてコンピュータを機能させることを特徴とする認証プログラム。
【請求項１１】
紙媒体上に記入した記入情報に基づいて作成された電子文書を特定するコードと、前記電子文書の識別情報を認証情報として備えることを特徴とする紙媒体。
【請求項１２】
前記認証情報は、バーコード化され、前記紙媒体上に印字されることを特徴とする請求項１１に記載の紙媒体。
【請求項１３】
前記バーコード化された前記認証情報は、前記記入情報の一部を地紋としたシールに印字され、
前記シールは、紙媒体上に貼付されることを特徴とする請求項１２に記載の紙媒体。
【発明の詳細な説明】
【０００１】
【発明の属する技術分野】
本発明は、同一内容である紙媒体の文書と電子媒体の文書を運用する際に、双方の認証を行うための方法に関する。
【０００２】
【従来の技術】
近年の情報化社会の発展に伴い、帳簿や公文書といった紙媒体の文書は、ワープロソフトやスキャナなどにより電子データ化され、電子媒体の文書として管理されることが多い。例えば、所定の手続の申請者本人が手書きで記入した紙媒体の文書を原本として保存しておき、運用の利便性のため、原本に基づいて作成した電子媒体の文書を利用して手続を進めること等が考えられる。
【０００３】
従来から、電子媒体の文書のように、複製や改竄のされやすい電子化されたデータの原本性を実現するためには、認証局が発行する電子証明書などが利用されている。一方、紙媒体の文書は、通常、それ自体である程度の原本性が認められている。ここで、原本性とは、文書のライフサイクルにおいて、同一性、真正性、正当性が保証されていることである。
【０００４】
【発明が解決しようとする課題】
このように、電子媒体の文書の原本性は、認証局に依存する割合が高くなっている。また、紙媒体の文書の原本性は、特に根拠はなく社会的に信頼されていることが多い。そのため、同一内容である電子媒体の文書と紙媒体の文書、双方の間で相互に原本性の保証を行うことは困難となっている。
【０００５】
本発明は、以上の点に鑑みてなされたものであり、同一内容である紙媒体の文書と電子媒体の文書を対応付けて認証を行い、相互に原本性の保証を行うことができる認証システムを提供することを課題とする。
【０００６】
【課題を解決するための手段】
本発明の１つの観点では、印刷物上に記入した記入情報をデータとして受信する記入情報受信手段と、前記記入情報に基づいて電子文書を作成する電子文書作成手段と、前記電子文書に基づいて、前記電子文書を特定するコードを作成するコード作成手段と、前記電子文書の識別情報及び前記コードを認証情報として、前記印刷物に添付又は貼付する認証情報貼付手段と、前記認証情報に基づいて、前記印刷物又は前記電子文書の改竄を検知する改竄検知手段と、を備えることを特徴とする。
【０００７】
上記の認証システムにおいて、ユーザは、まず、所定の印刷物に記入を行う。具体的には、ユーザが紙媒体である所定の申込書に必要事項を記入すること等である。認証システムは、ユーザが記入した情報をデータとして受信し、受信した記入情報に基づいて電子文書を作成する。さらに、認証システムは、作成した電子文書を特定するコードを作成する。電子文書を特定するコードは、例えば、ハッシュ値などが考えられる。そして、認証システムは、当該コード及び作成した電子文書を一意に識別する識別情報を、認証情報として印刷物に添付又は貼付する。その後、例えば申込書の手続などの運用をした後、認証システムは、印刷物に添付又は貼付された認証情報に基づいて、印刷物又は電子文書に改竄があるか否かを検知することができる。
【０００８】
これによれば、電子文書のように複製や改竄のされやすい電子化されたデータの原本性を実現するために、電子証明書ではなく、ユーザが記入した印刷物を利用することができる。また、電子文書が厳重に保管されており、印刷物が運用上利用されている場合は、電子文書を原本として印刷物の改竄を検知することができる。よって、印刷物と電子文書を対応付けて認証を行い、相互に信頼度を高めることができる。
【０００９】
本発明の他の観点では、印刷物上に記入した記入情報をデータとして受信する記入情報受信手段と、前記記入情報に基づいて電子文書を作成する電子文書作成手段と、記入済の前記印刷物をデータとしてスキャナで読み取る読取手段と、前記読み取ったデータを受信する読取データ受信手段と、前記読取データと前記電子文書を比較する比較手段と、前記比較の結果が一致した場合に、前記電子文書に基づいて、前記電子文書を特定するコードを作成するコード作成手段と、前記電子文書の識別情報及び前記コードを認証情報として、前記印刷物に添付又は貼付する認証情報貼付手段と、前記認証情報に基づいて、前記印刷物又は前記電子文書の改竄を検知する改竄検知手段と、を備える。
【００１０】
上記の認証システムにおいて、ユーザは、まず、所定の印刷物に記入を行う。認証システムは、ユーザが記入した情報をデータとして受信し、受信した記入情報に基づいて電子文書を作成する。また、認証システムは、記入済の印刷物をスキャナで読み取り、読取データとして受信する。そして、認証システムは、受信した読取データと作成した電子文書を比較し、比較結果が一致しない場合、印刷物又は電子文書が改竄されていると判定する。一方、比較結果が一致した場合、当該電子文書を特定するコードを作成する。さらに、認証システムは、当該コード及び作成した電子文書を一意に識別する識別情報を、認証情報として印刷物に添付又は貼付する。その後、認証システムは、所定の運用をした後、印刷物に添付又は貼付された認証情報に基づいて、印刷物又は電子文書に改竄があるか否かを検知することができる。
【００１１】
これによれば、コードを作成する前に、印刷物又は電子文書が改竄されているか否かを判定することができる。即ち、所定の運用前、運用後と二重に改竄検知を行うことになり、印刷物と電子文書、双方の信頼度を高めることができる。
【００１２】
上記の認証システムの一態様では、光学的に読取可能に設けられたドットパターンが印刷されている印刷物上において、前記記入情報受信手段は、インクペンユニット及び光学的に前記ドットパターンを読み取る読取ユニットを備える電子ペンが、前記印刷物上に記入した記入情報を受信する。これによれば、ユーザが電子ペンのインクペンユニットを利用して印刷物上に必要事項等を記入すると、電子ペンは電子ペンの移動に伴って印刷物上のドットパターンを読み取り、ユーザが記入した事項の電子データを取得する。即ち、当該電子データを受信することにより、認証システムは、ユーザが印刷物に記入した情報を容易に取得することができる。よって、認証システムは、当該電子データに基づいて記入済の印刷物と同一内容の電子文書を容易に作成することができる。
【００１３】
上記の認証システムの他の一態様では、所定の運用後に、前記印刷物に添付又は貼付された前記認証情報から前記コードを取得するコード取得手段と、前記認証情報から前記識別情報を取得する識別情報取得手段と、前記識別情報に該当する電子文書を取得する電子文書取得手段と、前記電子文書に基づいて、前記電子文書を特定する第２コードを作成する第２コード作成手段と、前記コードと前記第２コードを比較する第２コード比較手段と、をさらに備え、前記改竄検知手段は、前記比較の結果が一致すれば電子文書は改竄されていないと判断し、前記比較の結果が一致しなければ電子文書は改竄されていると判断する。
【００１４】
上記の認証システムは、所定の運用後に、印刷物に添付又は貼付された認証情報から電子文書を特定するコードと識別情報を取得する。そして、認証システムは、識別情報に基づいて運用後の電子文書を取得し、当該電子文書を特定する第２コードを作成する。これによれば、印刷物が原本として厳重に保管されていた場合、認証情報から取得したコードは運用前の電子文書を特定するコード、作成した第２コードは運用後の電子文書を特定するコードといえる。つまり、認証システムは、コードと第２コードを比較し、比較結果が一致すれば電子文書は改竄されていないと判断し、比較結果が一致しなければ電子文書は改竄されていると判断することができる。即ち、電子文書のように複製や改竄のされやすい電子化されたデータの原本性を実現するために、ユーザが記入した印刷物を利用することができる。
【００１５】
上記の認証システムの他の一態様では、前記改竄検知手段は、前記コード比較の結果が一致すれば印刷物は改竄されていないと判断し、前記コード比較の結果が一致しなければ印刷物は改竄されていると判断する。これによれば、電子文書が厳重に保管されており、印刷物が運用上利用されている場合、電子文書を原本として印刷物の改竄を検知することができる。よって、印刷物と電子文書を対応付けて認証を行い、相互に信頼度を高めることができる。
【００１６】
上記の認証システムのさらに他の一態様では、所定の運用後に、前記印刷物に添付又は貼付された前記認証情報から前記コードを取得するコード取得手段と、所定の運用後に、前記印刷物をデータとしてスキャナで読み取る第２読取手段と、前記読み取ったデータを受信する第２読取データ受信手段と、受信した第２読取データに基づいてコードを作成する第２コード作成手段と、前記コードと前記第２コードを比較する第２コード比較手段と、をさらに備え、前記改竄検知手段は、前記比較の結果が一致すれば前記印刷物は改竄されていないと判断し、前記比較の結果が一致しなければ前記印刷物は改竄されていると判断する。
【００１７】
上記の認証システムは、所定の運用後に、印刷物に添付又は貼付された認証情報から電子文書を特定するコードを取得する。また、認証システムは、所定の運用後の印刷物をスキャナで読み取り、第２読取データとして受信する。さらに、認証システムは、第２読取データに基づいて第２コードを作成する。そして、認証システムは、取得したコードと作成した第２コードを比較することで改竄を検知することができる。つまり、認証システムは、比較結果が一致すれば運用後の印刷物は改竄されていないと判断し、比較結果が一致しなければ運用後の印刷物は改竄されていると判断することができる。これによれば、コードを比較することで改竄検知ができるため、認証情報から電子文書の識別情報を取得し、当該識別情報に基づいて電子文書を取得する必要がない。よって、例えば、電子文書取得のためのデータベースの検索といった大きな負荷を認証システムにかけることなく、改竄検知を迅速に行うことができる。
【００１８】
本発明の他の観点では、認証方法は、印刷物上に記入した記入情報をデータとして受信する工程と、前記記入情報に基づいて電子文書を作成する工程と、前記電子文書に基づいて、前記電子文書を特定するコードを作成する工程と、前記電子文書の識別情報及び前記コードを認証情報として、前記印刷物に添付又は貼付する工程と、前記認証情報に基づいて、前記印刷物又は前記電子文書の改竄を検知する工程と、を有する。
【００１９】
本発明の他の観点では、認証方法は、印刷物上に記入した記入情報をデータとして受信する工程と、前記記入情報に基づいて電子文書を作成する工程と、記入済の前記印刷物をデータとしてスキャナで読み取る工程と、前記読み取ったデータを受信する工程と、前記読取データと前記電子文書を比較する工程と、前記比較の結果が一致した場合に、前記電子文書に基づいて、前記電子文書を特定するコードを作成する工程と、前記電子文書の識別情報及び前記コードを認証情報として、前記印刷物に添付又は貼付する工程と、前記認証情報に基づいて、前記印刷物又は前記電子文書の改竄を検知する工程と、を有する。
【００２０】
本発明のさらに他の観点では、認証プログラムは、印刷物上に記入した記入情報をデータとして受信する記入情報受信手段、前記記入情報に基づいて電子文書を作成する電子文書作成手段、前記電子文書に基づいて、前記電子文書を特定するコードを作成するコード作成手段、前記電子文書の識別情報及び前記コードを認証情報として、前記印刷物に添付又は貼付する認証情報貼付手段、前記認証情報に基づいて、前記印刷物又は前記電子文書の改竄を検知する改竄検知手段、としてコンピュータを機能させる。
【００２１】
本発明のさらに他の観点では、認証プログラムは、印刷物上に記入した記入情報をデータとして受信する記入情報受信手段、前記記入情報に基づいて電子文書を作成する電子文書作成手段、記入済の前記印刷物をデータとしてスキャナで読み取る読取手段、前記読み取ったデータを受信する読取データ受信手段、前記読取データと前記電子文書を比較する比較手段、前記比較の結果が一致した場合に、前記電子文書に基づいて、前記電子文書を特定するコードを作成するコード作成手段、前記電子文書の識別情報及び前記コードを認証情報として、前記印刷物に添付又は貼付する認証情報貼付手段、前記認証情報に基づいて、前記印刷物又は前記電子文書の改竄を検知する改竄検知手段、としてコンピュータを機能させる。
【００２２】
これら認証方法及び認証プログラムを実行することにより、上記の認証システムと同様に印刷物又は電子文書の認証を行うことができる。
【００２３】
本発明のさらに他の観点では、紙媒体は、紙媒体上に記入した記入情報に基づいて作成された電子文書を特定するコードと、前記電子文書の識別情報を認証情報として備える。これによれば、紙媒体、及び、紙媒体と同一内容の電子文書を、当該電子文書を特定するコード及び当該電子文書を識別する識別情報を利用して、対応づけることができる。また、認証情報に基づいて、紙媒体と電子文書の双方の間で相互に改竄検知等を行うことができる。
【００２４】
上記の紙媒体の一態様では、前記認証情報は、バーコード化され、前記紙媒体上に印字される。これによれば、認証情報は、バーコードとして紙媒体と一体化して扱われる。よって、認証情報である、紙媒体と同一内容の電子文書を特定するコードや識別情報を人為的に改竄することが困難となる。
【００２５】
上記の紙媒体の他の一態様では、前記バーコード化された前記認証情報は、前記記入情報の一部を地紋としたシールに印字され、前記シールは、紙媒体上に貼付される。これによれば、ユーザの記入情報である、例えば署名などが、シールの地紋となり、当該シールに認証情報がバーコードとして印字される。そして、当該シールは、紙媒体に貼付される。即ち、署名といったユーザの記入情報の一部、及び、認証情報であるバーコードが、紙媒体と一体化して扱われる。署名を地紋としたシールを利用することにより、ユーザの本人性を高めるとともに、紙媒体の信頼度を高めることもできる。また、認証情報であるバーコードを改竄することが極めて困難となる。
【００２６】
【発明の実施の形態】
以下、図面を参照して本発明の好適な実施の形態について説明する。
【００２７】
［電子ペン］
まず始めに、電子ペンについて説明する。図１は電子ペンの使用形態を模式的に示す図であり、図２は電子ペンの構造を示す機能ブロック図である。図１に示すように、電子ペン１０は、ドットパターンが印刷された専用ペーパー２０と組み合わせて使用される。電子ペン１０は、通常のインクペンと同様のペン先部１７を備えており、ユーザは通常のインクペンと同様に専用ペーパー２０上に文字などを書くことになる。
【００２８】
図２に示すように、電子ペン１０は、その内部にプロセッサ１１、メモリ１２、Ｂｌｕｅｔｏｏｔｈトランシーバ１３、バッテリー１４、赤外線ＬＥＤ１５、カメラ１６及び圧力センサ１８を備える。また、電子ペン１０は通常のインクペンと同様の構成要素としてインクカートリッジ（図示せず）などを有する。
【００２９】
電子ペン１０は、ペン先部１７により専用ペーパー２０上に描かれたインクの軌跡をデータ化するのではなく、専用ペーパー２０上で電子ペン１０が移動した軌跡座標をデータ化する。赤外線ＬＥＤ１５が専用ペーパー２０上のペン先部１７近傍を照明しつつ、カメラ１６が専用ペーパー２０にプリントされているドットパターンを読み取り、データ化する。つまり、電子ペン１０は専用ペーパー２０上でユーザが電子ペン１０を移動させることにより生じるストロークを画像データ又はベクトルデータとして取得することができる。
【００３０】
圧力センサ１８は、ユーザが電子ペン１０により専用ペーパー上に文字などを書く際にペン先部１７に与えられる圧力、即ち筆圧を検出し、プロセッサ１１へ供給する。プロセッサ１１は、圧力センサ１８から与えられる筆圧データに基づいて、赤外線ＬＥＤ１５及びカメラ１６のスイッチオン／オフの切換を行う。即ち、ユーザが電子ペン１０で専用ペーパー２０上に文字などを書くと、ペン先部１７には筆圧がかかる。よって、所定値以上の筆圧が検出されたときに、ユーザが記述を開始したと判定して、赤外線ＬＥＤ１５及びカメラ１６を作動する。
【００３１】
カメラ１６は専用ペーパー２０上のドットパターンを読み取り、そのパターンデータをプロセッサ１１に供給する。プロセッサ１１は、供給されたドットパターンから、専用ペーパー２０上でのＸ／Ｙ座標を算出する。
【００３２】
プロセッサ１１は、ユーザの記述が行われる間に、筆圧の配列データ及びＸ／Ｙ座標データを取得し、タイムスタンプ（時間情報）と関連付けてメモリ１２に記憶していく。よって、メモリ１２内にはユーザの記述内容に対応するデータが時系列で記憶されていく。メモリ１２の容量は例えば１Ｍバイト程度とすることができる。
【００３３】
ユーザにより送信指示がなされるまでは、取得された全てのデータはメモリ１２内に保持される。そして、ユーザが送信指示を行うと、Ｂｌｕｅｔｏｏｔｈトランシーバ１３により、電子ペン１０と所定距離内にある端末装置へメモリ１２内のデータが送信される。基本的には、一度送信指示がなされると、電子ペン１０はメモリ１２内に記憶していた全てのデータを端末装置へ送信するため、メモリ１２内はクリアされる。よって、送信後にもう一度同じ情報を端末装置へ送信したい場合には、ユーザは専用ペーパー２０上に再度記述を行う必要がある。なお、この場合、ユーザは専用ペーパー２０上にインクペンで書かれた文字などをなぞればよいことになる。
【００３４】
電子ペン１０自体は、送信ボタンなどの機能ボタンを備えておらず、送信指示その他の指示は、ユーザが専用ペーパー２０上の所定位置に設けられた専用ボックスを電子ペン１０でチェックすることにより実行される。専用ボックスの位置座標には、予め送信指示が対応付けられており、プロセッサ１１は専用ボックスの位置座標を受信すると、Ｂｌｕｅｔｏｏｔｈトランシーバ１３にメモリ１２内のデータを供給し、端末装置への送信を行わせる。なお、電子ペン１０はディスプレイやボタンなどを持たないが、データの送信完了を電子ペンの振動により示すことができる。
【００３５】
バッテリー１４は電子ペン１０内の各要素に電源供給するためのものであり、例えば電子ペンのキャップ（図示せず）により電子ペン１０自体の電源のオン／オフを行うことができる。
【００３６】
このように、電子ペン１０はユーザが専用ペーパー２０上に記述した文字などに対応する座標データ及び筆圧データを取得して近傍の端末装置へ送信する機能を有するが、電子ペン１０のペン先部１７は通常のインクペンとなっているため、専用ペーパー２０上に記述した内容はオリジナルの原本として残るという特徴がある。即ち、原本という紙媒体の文書に対して記述するのと同時に、その内容を座標データなどの形態でリアルタイムに電子化することができる。
【００３７】
なお、電子ペン１０の標準機能によれば、電子ペン１０により得られるデータは、原則として座標データ又はベクトルデータの形態であり、テキストデータではない。但し、電子ペン１０は標準機能として、専用ペーパー２０上に設けられた専用エリアに記述することにより、英数字に限りテキスト化する機能は備えている。なお、端末装置などにおいて、電子ペン１０から送信された座標データやベクトルデータから、文字認識アプリケーションを利用してテキストデータを得ることはもちろん可能である。
【００３８】
また、電子ペン１０内には、ペン自体及びその所有者に関するプロパティ情報（ペン情報及びペン所有者情報）を保持することができ、アプリケーションから参照することができる。ペン情報としては、バッテリーレベル、ペンＩＤ、ペン製造者番号、ペンソフトウェアのバージョン、サブスクリプションプロバイダのＩＤなどを保持できる。また、ペン所有者情報としては、国籍、言語、タイムゾーン、ｅｍａｉｌアドレス、空きメモリ容量、名前、住所、ファックス／電話番号、携帯電話番号などを保持することができる。
【００３９】
次に、電子ペンによりユーザが記述した内容のＸ／Ｙデータを取得する方法について説明する。前述のように専用ペーパー２０には、所定のドットパターンが印刷されている。電子ペン１０のカメラ１６は、ユーザが専用ペーパー２０上に記述したインクの軌跡を読み取るのではなく、専用ペーパー２０上のドットパターンを読み取る。実際、図１に示すように、赤外線ＬＥＤ１５による照明領域及びカメラ１６の撮影領域（照明領域内に位置する）は、ペン先部１７が専用ペーパー２０に接触する位置とはずれている。
【００４０】
ドットパターンはカーボンを含む専用インキなどで印刷されており、カメラ１６はその専用インキによるパターンのみを認識することができる。専用インキ以外のインキ（カーボンを含まない）により、専用ペーパー上に罫線や枠などを印刷しても、電子ペンはそれらを認識することはない。よって、専用ペーパーを利用して各種申請書などの文書を作成する際は、専用インキ以外のインキで入力枠や罫線、注意書きなどを印刷する。
【００４１】
また、ドットパターンは、各ドットの位置がデータに対応付けされている。プロセッサ１１はカメラ１６から入力されるドットパターンのデータに基づいて、それに対応する専用ペーパー状の位置座標（即ち、そのドットパターンがその専用ペーパー状のどの位置にあるのか）をリアルタイムで算出する。なお、ドットパターンを認識する最小単位は２ｍｍ×２ｍｍであり、カメラ１６は毎秒１００回程度の撮影を行う。
【００４２】
次に、専用ペーパーについて説明する。専用ペーパーの構造の一例を図３に示す。図示のように、専用ペーパー２０は、台紙３０上にドットパターン３２が印刷され、その上に罫線などの図案３４が印刷されている。台紙３０は通常は紙であり、ドットパターン３２は前述のようにカーボンを含んだ専用インキにより印刷される。また、通常のインキなどにより図案３４が印刷される。ドットパターンと図案とは同時に印刷してもよいし、いずれかを先に印刷してもよい。
【００４３】
図案３４の例を図４に示す。図４は、ある申込書３６の例であり、複数の記入欄３８や送信ボックス３９が印刷されている。図４には明確に図示されていないが、実際にはドットパターンが申込書３６の全面に印刷されており、その上に記入欄３８や送信ボックス３９が通常のインキにより印刷されている。ユーザは、ドットパターンを意識することなく、従来からある申込書と同様に、電子ペン１０を使用して必要事項を申込書３６の各記入欄３８に記入すればよい。
【００４４】
専用ペーパー２０上の領域は大きく２種類の領域に分けることができる。１つは記入エリアであり、電子ペン１０による記述内容をそのまま情報として取り扱うエリアである。図４の例では複数の記入欄３８がこれに該当する。もう１つは機能エレメントであり、対応するエリア内を電子ペン１０でチェックした際に、予めそのエリアに対して定義されているアクション、指示などを実行するようになっている。図４の例における送信ボックス３９がこれに該当する。
【００４５】
送信ボックス３９は前述したように電子ペン１０内に記憶されているデータを近傍の端末装置へ送信するための指示を行う際に使用される。ユーザが送信ボックス３９内に電子ペン１０でチェックを入れると、電子ペン１０が送信ボックス内のドットパターンを読み取る。当該パターンは送信指示に対応付けられており、電子ペン１０内のプロセッサ１１はＢｌｕｅｔｏｏｔｈトランシーバ１３にメモリ１２内の記憶データの送信命令を発する。
【００４６】
ドットパターンの割り当ては、通常、アプリケーション（用紙の種類）毎に行われる。即ち、ある申込書内のドットパターンは１枚の用紙の中で重複することはないが、同一の申込書には全て同じドットパターンが印刷されている。よって、ユーザが電子ペン１０で必要事項を入力すると、その入力事項がその申込書のどの項目に対するものであるかを、申込書上の座標データから特定することができる。
【００４７】
このように、ドットパターンを印刷した専用ペーパー上に所定の図案を印刷することにより、専用ペーパーを利用した各種申請書が作成できる。ユーザは電子ペン１０を使用して通常の要領で必要事項を記入すれば、その電子データが自動的に取得される。
【００４８】
次に、電子ペンにより取得したデータの送信処理について説明する。電子ペン１０が取得したデータは、主としてユーザが入力した事項のデータであるが、通常はそのデータの送信先であるサービスサーバがどこであるかの情報は含まれていない。その代わりに、その専用ペーパーに関するアプリケーションやサービスを特定する情報が専用ペーパー上に印刷されており、ユーザの入力作業中に専用ペーパーからその情報が取得されている。よって、電子ペン１０から入力データを受け取った端末装置は、まず、問い合わせサーバに対して、その専用ペーパーに対して入力されたデータをどのサービスサーバへ送信すべきかの問い合わせを行う。問い合わせサーバは、専用ペーパー毎に、対応するサービスサーバの情報を有しており、端末装置からの問い合わせに応じて、当該専用ペーパーに関するサービスなどを行うサービスサーバの情報（ＵＲＬなど）を端末装置へ回答する。それから、端末装置は、電子ペンから取得した入力データをそのサービスサーバへ送信することになる。
【００４９】
なお、上記の説明では、問い合わせサーバとサービスサーバが別のサーバとなっているが、１つのサーバとして処理を行っても構わない。このとき、電子ペン１０とサーバが極めて近い場所に存在していれば、電子ペン１０が取得したデータを、端末装置を介さず、直接サーバに送信することも可能である。
【００５０】
［認証システム］
次に、本発明に係る認証システム１００について説明する。図５に、認証システム１００の概略構成を示す。
【００５１】
ユーザは電子ペン１０を使用して紙文書（本例では、ある申込書とする）２１に対して記入を行う。記入データはＢｌｕｅｔｏｏｔｈ通信により端末装置２６へ送信され、端末装置２６からネットワーク２を介して、データ処理サーバ２２へ送信される。データ処理サーバ２２は、受信した記入データに基づいて電子文書を作成し、詳細は後述するが、当該電子文書に基づくハッシュ値を算出する。電子文書の識別情報である文書ＩＤ及びハッシュ値は、バーコード化され、プリンタ２３によってシールとしてプリントされる。そして、当該シールは、ユーザが記入した紙文書２１に貼付される。
【００５２】
データ処理サーバ２２は、シールが貼付された紙文書２１及び電子文書に基づいて双方を認証し、所定の手続を行うサーバであり、電子フォームＤＢ２４及び電子文書ＤＢ２５を備えている。なお、データ処理サーバ２２は、上述した問い合わせサーバとサービスサーバ双方の機能を有している。
【００５３】
ここで、「電子フォーム」とは、ユーザが必要事項を記入する前の状態の申込書などに対応する電子データである。電子フォームには、書類名、入力項目名、入力フィールドなどが予め含まれている。データ処理サーバ２２は、ユーザが電子ペン１０を利用して紙文書２１に記入した記入データと、該当する電子フォームとに基づいて、ユーザによる記入後の紙文書２１と同一内容の電子文書を作成することができる。このように、電子フォームに必要事項が記入され、所定の手続ができる状態となったデータを、未記入状態の電子フォームと区別する意味で、「電子文書」と呼ぶことがある。
【００５４】
まず、紙文書２１について詳しく説明する。紙文書２１は、紙媒体であり、例えば、図６に示すような所定の申込書等とすることができる。ここで、本発明のシステムでは、紙文書２１は、上述した専用ペーパーとして作成されている。即ち、図３に例示するように、台紙３０上に所定のドットパターン３２が印刷されており、その上に所定の申込フォームが印刷されている。先に述べたように、ドットパターン３２は電子ペン１０が認識することができるように、カーボンを含んだインキにより印刷されている。一方、例えば、書類名や入力項目名などの図案３４は、通常の（カーボンを含まない）インキにより印刷されているため、電子ペン１０がそれを認識することはない。
【００５５】
次に、データ処理サーバ２２について詳しく説明する。データ処理サーバ２２は、電子フォームＤＢ２４及び電子文書ＤＢ２５に接続されている。データ処理サーバ２２は、詳細は後述するが、ネットワーク２を介しての通信機能、電子文書作成機能、ハッシュ値算出機能などを有する。
【００５６】
電子フォームＤＢ２４は、データ処理サーバ２２が申込手続を行う全ての申込書に対応する電子フォームを、フォームＩＤに対応付けて記憶している。ここで、フォームＩＤとは、電子フォームを識別するための一意な情報である。
【００５７】
電子文書ＤＢ２５は、ユーザが電子ペン１０を利用して紙文書２１に記入した記入データと、該当する電子フォームに基づいて作成された電子文書を記憶している。電子文書ＤＢ２５は、電子文書を、電子文書作成の際に発行される識別情報である文書ＩＤに対応付けて記憶している。
【００５８】
次に、プリンタ２３について説明する。プリンタ２３は、データ処理サーバ２２が作成した電子文書の文書ＩＤ及びハッシュ値に対応するバーコードをシールとしてプリントする。シールは、当該電子文書のもとになった紙文書２１に貼付され、その上から保護シールや受付印による処理が施される。
【００５９】
［認証処理］
次に、上記の認証システムにより実行される認証処理について、図６乃至図９を参照して説明する。図６は、ユーザが電子ペン１０を利用して必要事項を記入した後の紙文書２１の一例を示す。図７は認証処理における通常の文書作成処理のフローチャートであり、図８はスキャナを利用した文書作成処理のフローチャートである。図９は、認証処理における改竄判定処理のフローチャートである。
【００６０】
（ｉ）通常の文書作成処理
まず、認証処理における通常の文書作成処理について、図６及び図７を参照して説明する。
【００６１】
ユーザは、電子ペン１０を利用して、図６（ａ）に示すように、紙文書２１に必要記入事項３８を記入する（ステップＳ１）。そして、ユーザは、紙文書２１上の送信ボックス３９をチェックすることにより、記入データ及び紙文書２１に対応するフォームＩＤを、電子ペン１０から端末装置２６へ送信する。端末装置２６は、記入データ及びフォームＩＤを受信すると、データ処理サーバ２２へ送信する（ステップＳ２）。
【００６２】
データ処理サーバ２２は、受信したフォームＩＤに基づいて電子フォームＤＢ２４から、紙文書２１に対応する電子フォームを取得する（ステップＳ３）。そして、データ処理サーバ２２は、取得した電子フォームと受信した記入データに基づいて電子文書を作成する（ステップＳ４）。さらに、データ処理サーバ２２は、作成した電子文書の識別情報である文書ＩＤを発行し、文書ＩＤに基づいて当該電子文書を電子文書ＤＢ２５に記憶する（ステップＳ５）。
【００６３】
次に、データ処理サーバ２２は、当該電子文書に基づいてハッシュ値を算出する（ステップＳ６）。ここで、ハッシュ値は、所定の電子文書に対応付けされた固定長のコード（数値）であり、当該電子文書を識別する指紋のようなデータである。なお、ハッシュ値からもとの電子文書を復元することはできないが、電子文書の特徴を反映するため、ハッシュ値のもとになった電子文書の原本性を保証することが可能である。
【００６４】
さらに、データ処理サーバ２２は、算出したハッシュ値、及び、ステップＳ５で発行した文書ＩＤをバーコード化する（ステップＳ７）。そして、プリンタ２３は、当該バーコードをシールとしてプリントする（ステップＳ８）。図６（ｂ）に示すように、バーコードがプリントされたシール３５は、紙文書２１に貼付される。そして、シール３５は、人為的な改竄防止のため、受付印３７が押印され、その上から保護シール３６がされる（ステップＳ９）。なお、当該バーコードは直接紙文書２１にプリントされても構わない。
【００６５】
なお、上記の実施形態では、記入データと電子フォームに基づいて電子文書を作成してからハッシュ値を算出しているが、電子フォームを利用せず、記入データのみに基づいてハッシュ値を算出しても構わない。
【００６６】
また、上記の実施形態では、データ処理サーバ２２が紙文書と同一内容の電子文書を作成するために、ユーザは電子ペンを利用して必要事項の記入を行っている。しかし、電子ペンを利用せず、ユーザが通常のボールペン等の筆記用具を使用して通常の紙文書に必要事項を記入する場合にも、本発明を適用することができる。この場合、ステップＳ１及びＳ２の代わりに、ユーザが記入済の紙文書をスキャナで読み取り、読み取ったデータをデータ処理サーバ２２に送信する必要がある。データ処理サーバ２２は、受信したデータに基づいて紙文書と同一内容の電子文書を作成することができる。
【００６７】
（ｉｉ）スキャナを利用した文書作成処理
次に、スキャナを利用した文書作成処理について図６及び図８を参照して説明する。なお、図５に示すプリンタは、プリンタ機能及びスキャナ機能を有しているものとする。
【００６８】
ユーザは、電子ペン１０を利用して、図６（ａ）に示すように、紙文書２１に必要記入事項３８を記入する（ステップＳ２０）。そして、ユーザは、紙文書２１上の送信ボックス３９をチェックすることにより、記入データ、及び、紙文書２１に対応するフォームＩＤを、電子ペン１０から端末装置２６へ送信する。端末装置２６は、記入データ及びフォームＩＤを受信すると、データ処理サーバ２２へ送信する（ステップＳ２１）。
【００６９】
データ処理サーバ２２は、受信したフォームＩＤに基づいて電子フォームＤＢ２４から、紙文書２１に対応する電子フォームを取得する（ステップＳ２２）。そして、データ処理サーバ２２は、取得した電子フォームと受信した記入データに基づいて電子文書を作成する（ステップＳ２３）。
【００７０】
一方、スキャナ機能を有するプリンタ２３は、電子ペン１０を利用してユーザが記入済の紙文書２１をスキャナで読み取る（ステップＳ２４）。そして、プリンタ２３は、読み取った紙文書データをデータ処理サーバ２２へ送信する（ステップＳ２４）。
【００７１】
データ処理サーバ２２は、受信した紙文書データと、ステップＳ２３で作成した電子文書を比較する（ステップＳ２６）。そして、比較の結果が一致しない場合、データ処理サーバ２２は、ユーザが電子ペン１０を利用せずに記入をした等の改竄を検出したと判断し、文書作成処理を中断する。一方、比較の結果が一致した場合、データ処理サーバ２２は、文書ＩＤを発行し、文書ＩＤに基づいて当該電子文書を電子文書ＤＢ２５に記憶する（ステップＳ２７）。
【００７２】
次に、データ処理サーバ２２は、当該電子文書に基づいてハッシュ値を算出する（ステップＳ２８）。さらに、データ処理サーバ２２は、算出したハッシュ値と、ステップＳ２７で発行した文書ＩＤをバーコード化する（ステップＳ２９）。そして、プリンタ２３は、当該バーコードをシールとしてプリントする（ステップＳ３０）。図６（ｂ）に示すように、バーコードがプリントされたシール３５は、紙文書２１に貼付される。そして、シール３５は、人為的な改竄防止のため、受付印３７が押印され、その上から保護シール３６がされる（ステップＳ３１）。
【００７３】
これによれば、ユーザが電子ペン１０を利用せずに紙文書に記入した場合なども、電子文書を電子文書ＤＢ２５に記憶したり、バーコードをシールとしてプリントしたりする前に、改竄として検出することができる。即ち、通常の文書作成処理と比べて、チェックが厳しくなるため、紙文書及び電子文書双方の信頼度を高めることができる。
【００７４】
なお、スキャナ機能を有するプリンタ２３が読み取った紙文書データと、ステップＳ２３で作成した電子文書を比較する場合、双方をテキスト形式に変換して比較するなど、種々の方法を適用することができる。この場合、画像データをテキスト形式に変換することも可能であるため、紙文書２１は文字を記入するのみの申込書に限られず、画像データを含むものであっても構わない。
【００７５】
（ｉｉｉ）改竄判定処理
次に、改竄判定処理について、図６及び図９を参照して説明する。
【００７６】
まず、紙文書２１に貼付されたバーコードを読み取り、データ処理サーバ２２は、当該バーコードから文書ＩＤとハッシュ値を取得する（ステップＳ１１）。そして、データ処理サーバ２２は、文書ＩＤに基づいて、電子文書ＤＢ２５から電子文書を取得する（ステップＳ１２）。さらに、データ処理サーバ２２は、当該電子文書に基づいてハッシュ値を算出する（ステップＳ１３）。
【００７７】
次に、データ処理サーバ２２は、バーコードから読み取ったハッシュ値と、電子文書ＤＢ２５から取得した電子文書に基づいて算出したハッシュ値を比較する（ステップＳ１４）。ハッシュ値が一致した場合、データ処理サーバ２２は、電子文書は改竄されていないと判定する（ステップＳ１５）。一方、ハッシュ値が一致しない場合、データ処理サーバ２２は、電子文書は改竄されていると判定する（ステップＳ１６）。
【００７８】
なお、上記の実施例では、紙文書を原本として、電子文書が改竄されているか否かを検出している。しかし、電子文書が厳重に保管されており、紙文書が運用上利用されている場合は、電子文書を原本として、紙文書が改竄されているか否かを検出することができる。また、電子署名を併用することで、電子文書の本人性及び信頼度を高めることもできる。
【００７９】
また、上記の実施例では、ハッシュ値を使用しているが、電子文書の原本性を保証することができれば、暗号化といった種々の方法を適用することが可能である。
【００８０】
また、上記の実施例では、文書ＩＤ及びハッシュ値をバーコード化してシールとし、当該シールを紙文書に貼付することで、電子文書と紙文書を対応付けている。しかし、本発明はこれに限定されるものではなく、通常のバーコード以外の２次元バーコードやＲＦＩＤ（Ｒａｄｉｏ　Ｆｒｅｑｕｅｎｃｙ　ＩＤｅｎｔｉｆｉｃａｔｉｏｎ　Ｓｙｓｔｅｍ）等を利用することができる。そのため、文書ＩＤ及びハッシュ値ではなく、電子文書を一意に対応付けるものであれば、電子文書そのものをＲＦＩＤに記憶し、当該ＲＦＩＤを紙文書に貼付又は添付するなど様々な方法を適用することができる。
【００８１】
また、上記の例では、文書ＩＤ及びハッシュ値をバーコード化し、通常のシールにプリントしている。しかし、通常のシールではなく、ユーザが電子ペン１０を利用して紙文書に記入した署名等を地紋にしたシールに、バーコードをプリントすることもできる。これによれば、バーコードがプリントされたシールを偽造又は改竄することが困難となり、ユーザの本人性を高めるとともに紙媒体の信頼度を高めることができる。
【００８２】
［変形例］
上記の例では、改竄判定処理においてデータベースを検索しているが、本発明の適用はこれに限定されず、データベースを検索することなく、紙文書が改竄されているか否かの検出を行うことができる。この場合の改竄判定処理について、具体的に説明する。
【００８３】
なお、上記の「（ｉ）文書作成処理」又は「（ｉｉ）スキャナを利用した文書作成処理」に基づいて、図６（ｂ）に示すような、バーコードの貼付された紙文書が予め作成されているものとする。
【００８４】
まず、データ処理サーバ２２は、紙文書２１に貼付されたバーコードを読み取り、文書ＩＤとハッシュ値を取得する。一方、スキャナ機能を有するプリンタ２３は、紙文書をスキャナで読み取り、紙文書データとしてデータ処理サーバ２２に送信する。
【００８５】
データ処理サーバ２２は、受信した紙文書データに基づいてハッシュ値を算出する。そして、データ処理サーバ２２は、算出したハッシュ値と、バーコードから読み取ったハッシュ値を比較する。ハッシュ値が一致した場合、データ処理サーバ２２は、電子文書は改竄されていないと判定する。一方、ハッシュ値が一致しない場合、データ処理サーバ２２は、電子文書は改竄されていると判定する。
【００８６】
これによれば、紙文書が改竄されているか否かを判定する際に、データベースを検索する必要がないため、データ処理サーバ２２に負荷をかけることがなくなり、処理を迅速に行うことができる。即ち、大量の紙文書の改竄を判定する際に、特に有効である。
【００８７】
以上説明したように、本発明によれば、電子文書のように複製や改竄のされやすい電子化されたデータの原本性を実現するために、電子証明書ではなく、ユーザが記入した紙文書を利用することができる。また、電子文書が厳重に保管されており、紙文書が運用上利用されている場合は、電子文書を原本として、紙文書が改竄されているか否かを検出することができる。さらに、大量の紙文書の改竄を判定する際は、ネットワークを介さず、迅速に処理を行うことができる。よって、紙文書及び電子文書、双方の間で相互に信頼度を高めることができる。
【００８８】
【発明の効果】
以上説明したように、本発明によれば、同一内容である紙媒体の文書と電子媒体の文書を対応付けて認証を行い、相互に原本性の保証を行うことができる。
【図面の簡単な説明】
【図１】電子ペンの使用形態を模式的に示す図である。
【図２】電子ペンの構造を示す機能ブロック図である
【図３】専用ペーパーにより構成される帳票の構造を示す。
【図４】帳票の例を示す。
【図５】電子ペン及び紙文書を利用した認証システムの概略構成を示す図である。
【図６】認証処理において使用する紙文書の例を示す。
【図７】認証処理における通常の文書作成処理を示すフローチャートである。
【図８】認証処理におけるスキャナを利用した文書作成処理を示すフローチャートである。
【図９】認証処理における改竄判定処理を示すフローチャートである。
【符号の説明】
２　ネットワーク
１０　　電子ペン
１１　　プロセッサ
１２　　メモリ
１３　　トランシーバ
１４　　バッテリー
１５　　ＬＥＤ
１６　　カメラ
１７　　ペン先部
２０　　専用ペーパー
２１　　紙文書
２２　　データ処理サーバ
２３　　プリンタ
２４　　電子フォームＤＢ
２５　　電子文書ＤＢ
２６　　端末装置
１００　認証システム
【図１】
2004054594.tif 000003
【図２】
2004054594.tif 000004
【図３】
2004054594.tif 000005
【図４】
2004054594.tif 000006
【図５】
2004054594.tif 000007
【図６】
2004054594.tif 000008
【図７】
2004054594.tif 000009
【図８】
2004054594.tif 000010
【図９】
2004054594.tif 000011